(57)【特許請求の範囲】
【請求項１】
ガスメータの左右側面に同一配管軸上に相対方向に開口されたガス入口およびガス出口のうち、ガス入口に入側内継手を介して接続されたガス栓と、当該ガス栓の入口にガス入側配管が接続される入側外継手と、ガス出口に出側内継手を介して接続される検圧プラグと、当該検圧プラグの出口にガス出側配管が接続される出側外継手と具備したガスメータユニットの支持具であって、
ガスメータの背面を支持するメータ受部と、前記入側外継手を支持する入側継手受部と、前記出側外継手を支持する出側継手受部と、前記メータ受部と前記入側継手受部とを連結して、建物の壁面またはガスメータボックスの底部に取り付けられる入側支持部と、前記メータ受部と前記出側継手受部を連結して建物の壁面またはガスメータボックスの底部に取り付けられる出側支持部とを一体に形成したユニット支持体を設けた
ことを特徴とするガスメータユニットの支持具。
【請求項２】
ユニット支持体は、１枚の板材を折り曲げて、背面から立設された板状の入側継手受部および出側継手受部の内側に、それぞれ凹面状の入側支持部および出側支持部を形成するとともに、前記入側支持部および前記出側支持部の間に凸面状のメータ受部を形成し、
入側継手受部は、正面の辺部に開口されて入側外継手が嵌合可能なＵ字形の切欠き部が形成されるとともに、出側継手受部は、正面の辺部に開口されて出側外継手が嵌合可能なＵ字形の切欠き部を有する
ことを特徴とする請求項１記載のガスメータユニットの支持具。
【請求項３】
メータ受部の背面側に、メータボックスの底部に形成された凸部に嵌合可能でユニット支持体を位置決めする位置決め凹部を設けた
ことを特徴とする請求項２記載のガスメータユニットの支持具。
【発明の詳細な説明】
【技術分野】
【０００１】
本発明は、ガス栓、ガスメータ、検圧プラグからなるガスメータユニットを、メータ収納室や建物の壁面に取り付けたり、ガスメータボックス内に収容して設置するためのガスメータユニットの支持具に関する。
【背景技術】
【０００２】
たとえば特許文献１に開示されたガスメータ支持具は、ガスメータを支持するとともに、左右一方にガス栓を取り付け、他方にサービスチーを取り付けたものが開示されている。
【０００３】
一方、近年では、超音波式の流量センサなどを内蔵した小型のガスメータが広まりつつある。
【先行技術文献】
【特許文献】
【０００４】
【特許文献１】特許第２９２７３５３号
【発明の概要】
【発明が解決しようとする課題】
【０００５】
従来のガスメータ支持具は、ガスメータが大型で重量も大きく、複雑な構造で大型なものとなっていた。
本発明は上記問題点を解決して、シンプルで軽量に形成されて小型ガスメータを十分な強度で支持でき、汎用性も高いガスメータユニットの支持具を提供することを目的とする。
【課題を解決するための手段】
【０００６】
請求項１記載の発明は、
ガスメータの左右側面に同一配管軸上に相対方向に開口されたガス入口およびガス出口のうち、ガス入口に入側内継手を介して接続されたガス栓と、当該ガス栓の入口にガス入側配管が接続される入側外継手と、ガス出口に出側内継手を介して接続される検圧プラグと、当該検圧プラグの出口にガス出側配管が接続される出側外継手と具備したガスメータユニットの支持具であって、
ガスメータの背面を支持するメータ受部と、前記入側外継手を支持する入側継手受部と、前記出側外継手を支持する出側継手受部と、前記メータ受部と前記入側継手受部とを連結して、建物の壁面またはガスメータボックスの底部に取り付けられる入側支持部と、前記メータ受部と前記出側継手受部を連結して建物の壁面またはガスメータボックスの底部に取り付けられる出側支持部とを一体に形成したユニット支持体を設けたものである。
【０００７】
請求項２記載の発明は、請求項１記載の構成において、
ユニット支持体は、１枚の板材を折り曲げて、背面から立設された板状の入側継手受部および出側継手受部の内側に、それぞれ凹面状の入側支持部および出側支持部を形成するとともに、前記入側支持部および前記出側支持部の間に凸面状のメータ受部を形成し、
入側継手受部は、正面の辺部に開口されて入側外継手が嵌合可能なＵ字形の切欠き部が形成されるとともに、出側継手受部は、正面の辺部に開口されて出側外継手が嵌合可能なＵ字形の切欠き部を有するものである。
【０００８】
請求項３記載の発明は、請求項２記載の構成において、
メータ受部の背面側に、メータボックスの底部に形成された凸部に嵌合可能でユニット支持体を位置決めする位置決め凹部を設けたものである。
【発明の効果】
【０００９】
請求項１記載の発明によれば、ユニット支持体の入側と出側の２つの継手受部とメータ受部により、ガス栓、ガスメータおよび検圧プラグをそれぞれ３ヶ所を支持させるとともに、入側支持部と出側支持部の２ヶ所が壁面やガスメータボックスの底部に支持されるので、ガスメータユニットを壁面またはガスメータボックス内に容易かつ強固に取り付けることができる。
【００１０】
請求項２記載の発明によれば、一枚の板材を折り曲げることにより、ユニット支持体を容易かつ安価に製造することができ、簡単な構造で軽量な、かつ高強度なユニット支持体を提供することができる。
【００１１】
請求項３記載の発明によれば、メータ受部の背面側の位置決め凹部を、ガスメータボックスの底部に形成された凸部に嵌合して、ユニット支持体をガスメータボックス内で位置決めすることができる。これにより、ガスメータボックス内でガスメータユニットを容易に精度良く設置することができる。またガスメータボックスの強度を、ユニット支持体の強度で補強してガスメータユニットを保持することができ、外力による位置ずれや破損を未然に防止することができる。
【図面の簡単な説明】
【００１２】
【図１】本発明に係るガスメータユニットの支持具の実施例を示し、ユニット支持体の斜視図である。
【図２】（ａ）および（ｂ）はユニット支持体の使用例１を示し、（ａ）は壁面への取付状態を示す底面図、（ｂ）は壁面への取付状態を示す正面図である。
【図３】（ａ）および（ｂ）はユニット支持体の使用例２を示し、（ａ）はガスメータボックスへの取付状態を示す側面図、（ｂ）はガスメータボックスへの取付状態を示す平面図である。
【発明を実施するための形態】
【実施例】
【００１３】
以下、本発明の実施例を図面に基づいて説明する。
このガスメータユニット１１は、図２および図３に示すように、超音波式の流量センサを内蔵した小型ガスメータ１２とガス栓１３と検圧プラグ１４とを具備し、小型ガスメータ１２の左右側面にガス入口１２ｉおよびガス出口１２ｏが同一の配管軸Ｏ上に相対方向に開口して設けられている。そして、屋外配管のガス入側配管（ＰＥ管）１５の出口が入側外継手（トランジッション継手）１６を介してガス栓１３の入口に接続され、ガス栓１３の出口が入側内継手（ユニオン継手）１７を介して小型ガスメータ１２のガス入口１２ｉに接続されている。また、小型ガスメータ１２のガス出口１２ｏが出側内継手（出口ユニオン継手）１８を介して検圧プラグ１４の入口が接続され、検圧プラグ１４の出口が出側外継手（フレキシブル管継手）１９を介して屋内配管のガス出側配管（フレキシブル管）２０に接続されている。
【００１４】
本発明に係るユニット支持体２１は、図１に示すように、金属製または樹脂製の１枚の板材により折り曲げ状に形成されている。すなわち、水平で平坦な受面２２ｂに垂直面部２２ｃを介して凸面状に形成され小型ガスメータ１２を背面から支持するメータ受部２２と、入側端部で背面から正面に向かって垂直に折り曲げられるとともに入側外継手１６が正面側から嵌合されて支持されるＵ字形の切欠き部２３ａが形成された入側継手受部２３と、出側端部で背面から正面に向かって垂直に折り曲げられるとともに、出側外継手１９が正面側から嵌合されて支持されるＵ字形の切欠き部２４ａが形成された出側継手受部２４と、凹面状に形成されメータ受部２２と入側継手受部２３とを連結するとともに、壁面１０またはガスメータボックス３２の底壁３３Ｂに取り付けられる水平で平坦な入側支持部２５と、凹面状に形成されてメータ受部２２と出側継手受部２４を連結するとともに壁面１０またはガスメータボックス３２の底壁３３Ｂに取り付けられる水平で平坦面な出側支持部２６とが一体に形成されている。
【００１５】
メータ受部２２に、ビス２７により小型ガスメータ１２を取り付ける複数のビス穴２２ａが形成され、また入側支持部２５および出側支持部２６に、アンカーボルト２８によりユニット支持体２１を壁面１０に取り付ける複数のボルト穴２５ａ，２６ａがそれぞれ形成されている。
【００１６】
（使用例１）
上記ユニット支持体２１を壁面１０に取り付ける場合には、予めまたは現場で、入側内継手１７および出側内継手１８を介してガス栓１３とガスメータ１２と検圧プラグ１４とを接続し、ガスメータユニット１１を組み立てておく。アンカーボルト２８によりユニット支持体２１の入側支持部２５および出側支持部２６を壁面１０に取り付ける。そしてガス入側配管１５とガス栓１３とを入側外継手１６を介して接続し、さらに検圧プラグ１４とガス出側配管２０とを出側外継手１９を介して接続し、同時に入側外継手１６のナット１６ｎ間に入側継手受部２３の切欠き部２３ａを嵌合し、出側外継手１９のナット１９ｎ間に出側継手受部２４の切欠き部２４ａを嵌合して、ガスメータユニット１１にユニット支持体２１に組み付ける。さらに入側外継手１６および出側外継手１９のナット１６ｎ，１９ｎをそれぞれ締め付けて、ユニット支持体２１とガスメータユニット１１とを固定する。もちろん、ガスメータユニット１１が組み付けられたユニット支持体２１を壁面１０に固定してもよく、組み立て手順は、現場の状況により任意に選択することができる。
【００１７】
上記実施例によれば、ユニット支持体２１の入側継手受部２３および出側継手受部２４とメータ受部２２により、ガスメータユニット１１の入側外継手１６とガスメータ１２と出側外継手１９の３ヶ所を支持させ、さらに入側支持部２５および出側支持部２６をアンカーボルト２８により壁面１０に取り付けるので、板材を折り曲げた簡単な構造のユニット支持体２１により、ガス栓１３、小型ガスメータ１２、検圧プラグ１４からなるガスメータユニット１１を容易かつ強固に壁面１０に取り付けることができる。
【００１８】
（使用例２）
ガスメータユニット１１をガスメータボックスに設置する使用例２を図３を参照して説明する。なお、使用例１と同一部材には同一符号を付して説明を省略する。
【００１９】
ユニット支持体２１のメータ受部２２の背面の凹部が、位置決め凹部３１として使用される。
ガスメータボックス３２は、平面視が横長箱形のボックス本体３３が地盤ＧＬに埋設されるもので、ボックス本体３３の上面開口部に蓋体３４が着脱自在に装着される。
【００２０】
ボックス本体３３の一方の短側壁３３Ｌに、ガス入側配管１５の継手部１６ａが嵌合可能な入側配管挿入口３５が形成され、他方の短側壁３３Ｒに、ガス出側配管２０の継手部１９ａが嵌合可能な出側配管挿入口３６が形成されている。そして、ボックス本体３３の底壁（底部）３３Ｂの中央部に、位置決め凹部３１が上方から嵌合可能な凸部３７が、短側壁３３Ｌ，３３Ｒと平行に形成されている。
【００２１】
上記構成において、予めまたは現場で、入側内継手１７および出側内継手１８を介してガス栓１３および小型ガスメータ１２ならびに検圧プラグ１４を接続して、ガスメータユニット１１を組み立てておき、埋設されたボックス本体３３にユニット支持体２１を介してガスメータユニット１１を装着する。すなわち、入側外継手１６の２個のナット１６ｎ間に入側継手受部２３の切欠き部２３ａを嵌合してナット１６ｎを締め付け、出側外継手１９の２個のナット１９ｎ間に出側継手受部２４の切欠き部２４ａを嵌合してナット１９ｎを締め付け、ガスメータユニット１１をユニット支持体２１に組み付ける。
【００２２】
そして、ガスメータユニット１１付きのユニット支持体２１をボックス本体３３内に嵌め込み、ボックス本体３３の底壁３３Ｂに形成された凸部３７に、位置決め凹部３１を上方から嵌合して位置決めし、さらに入側外継手１６の継手部１６ｂを入側配管挿入口３５に嵌合させるとともに、出側外継手１９の継手部１９ｂを出側配管挿入口３６に嵌合させる。
【００２３】
次いで、ガス入側配管１５に装着された継手部１６ａを継手部１６ｂに嵌合して入側外継手１６を接続し、ガス出側配管２０の端部に設けられた継手部１９ａを継手部１９ｂに嵌合して出側外継手１９を接続する。さらに入側外継手１６の固定ナット１６ｍを締め付けるとともに、出側外継手１９の固定ナット１９ｍを締め付け、ナット１６ｎ，１９ｎとの間で入側外継手１６および出側外継手１９をボックス本体３３に固定する。
【００２４】
上記使用例２によれば、ガスメータユニット１１の壁面１０の取付に使用したユニット支持体２１を利用して、ボックス本体３３の底壁３３Ｂに形成された凸部３７に、ユニット支持体２１の位置決め凹部３１を上方から嵌合することにより、ガスメータボックス３２内でガスメータユニット１１を容易かつ高精度で位置決めして装着することができ、汎用性が高い。またガスメータボックス３２の強度に加えて、ユニット支持体２１の強度で補強した状態で、ガスメータボックス３２内でガスメータユニット１１を保持することができ、外力によるガスメータユニット１１の位置ずれや破損を未然に防止することができる。
【符号の説明】
【００２５】
Ｏ    配管軸
１０    壁面
１１    ガスメータユニット
１２    小型ガスメータ
１３    ガス栓
１４    検圧プラグ
１５    ガス入側配管
１６    入側外継手
１６ｎ  ナット
１７    入側内継手
１８    出側内継手
１９    出側外継手
１９ｎ  ナット
２０    ガス出側配管
２１    ユニット支持体
２２    メータ受部
２３    入側継手受部
２３ａ  切欠き部
２４    出側継手受部
２４ａ  切欠き部
２５    入側支持部
２５ａ  ボルト穴
２６    出側支持部
２６ａ  切欠き部
２７    ビス
２８    アンカーボルト
ＧＬ    地盤
３１    位置決め凹部
３２    ガスメータボックス
３３    ボックス本体
３４    蓋体
３５    入側配管挿入口
３６    出側配管挿入口
３７    凸部
【図１】
0005511625.tif 000002
【図２】
0005511625.tif 000003
【図３】
0005511625.tif 000004